(57)【要約】【課題】  シングルキャリア方式の第１の通信システム及びマルチキャリア方式の第２の通信システムが少なくとも一部の周波数帯域を共用しながら併存することを可能にする送信装置を提供すること。【解決手段】  送信装置は、シングルキャリア方式の第１の通信システム及びマルチキャリア方式の第２の通信システムで使用することができる。本装置は、シングルキャリアのパケットを下りチャネルで送信し、第１の再送待機期間経過後に、要求に応じてシングルキャリアのパケットを再送する第１再送手段と、マルチキャリアのパケットを下りチャネルで送信し、第２の再送待機期間経過後に、要求に応じてマルチキャリアのパケットを再送する第２再送手段とを備える。前記第２再送手段は、前記第１の再送待機期間の間に、マルチキャリアのパケットを１つ以上送信する。【選択図】  図５
2006287759.tif 000002
【特許請求の範囲】
【請求項１】
シングルキャリア方式の第１の通信システム及びマルチキャリア方式の第２の通信システムで使用可能な送信装置であって、
シングルキャリアのパケットを下りチャネルで送信し、第１の再送待機期間経過後に、要求に応じてシングルキャリアのパケットを再送する第１再送手段と、
マルチキャリアのパケットを下りチャネルで送信し、第２の再送待機期間経過後に、要求に応じてマルチキャリアのパケットを再送する第２再送手段と、
を備え、前記第２再送手段は、前記第１の再送待機期間の間に、マルチキャリアのパケットを１つ以上送信する
ことを特徴とする送信装置。
【請求項２】
シングルキャリアのパケット１つの送信時間間隔が、マルチキャリアのパケット複数個の送信時間間隔に等しい
ことを特徴とする請求項１記載の送信装置。
【請求項３】
シングルキャリアのパケット１つとマルチキャリアのパケット複数個が交互に送信される
ことを特徴とする請求項２記載の送信装置。
【請求項４】
第１の通信システムの制御チャネルが、第１及び第２の通信システムで共用される
ことを特徴とする請求項１記載の送信装置。
【請求項５】
前記制御チャネルが、時間的に連続的に送信される
ことを特徴とする請求項４記載の送信装置。
【請求項６】
第１の通信システム用の第１の制御チャネルと、第２の通信システム用の第２の制御チャネルとが別個に送信される
ことを特徴とする請求項１記載の送信装置。
【請求項７】
シングルキャリアのパケットと共に第１の制御チャネルが送信され、マルチキャリアのパケットと共に第２の制御チャネルが送信される
ことを特徴とする請求項６記載の送信装置。
【請求項８】
シングルキャリアのパケットを表す信号をフーリエ変換する手段と、
フーリエ変換後の信号を帯域制限するフィルタ手段と、
帯域制限後の信号と、マルチキャリアのパケットを表す信号とを時間多重する手段と、
時間多重された信号を逆フーリエ変換する手段と、
を備えることを特徴とする請求項１記載の送信装置。
【請求項９】
シングルキャリア又はマルチキャリアのパケットを表す信号の一方を選択し、符号化するエンコード手段を更に備える
ことを特徴とする請求項８記載の送信装置。
【請求項１０】
シングルキャリア方式の第１の通信システム及びマルチキャリア方式の第２の通信システムで使用可能な送信装置が、
シングルキャリアのパケットを送信し、第１の再送待機期間経過後に、要求に応じてシングルキャリアのパケットを再送し、
マルチキャリアのパケットを送信し、第２の再送待機期間経過後に、要求に応じてマルチキャリアのパケットを再送し且つ前記第１の再送待機期間の間に、マルチキャリアのパケットを１つ以上送信する場合に、
該送信された信号を受信する受信装置であって、
受信した信号をフーリエ変換する手段と、
フーリエ変換後の信号を、シングルキャリアのパケットを表す信号と、マルチキャリアのパケットを表す信号とに時間的に分離する手段と、
シングルキャリアのパケットを表す信号を逆フーリエ変換する手段と、
を備えることを特徴とする受信装置。
【発明の詳細な説明】
【技術分野】
【０００１】
本発明は、無線通信の技術分野に関し、特にシングルキャリア方式及びマルチキャリア方式のシステムの併存を可能にする送信装置及び受信装置に関する。
【背景技術】
【０００２】
ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）に代表されるような第３世代の通信方式では、下りリンクで５ＭＨｚの周波数帯域を用いて、２Ｍｂｐｓの情報伝送レートを実現している。ＩＭＴ−２０００では、シングルキャリア方式の広帯域の符号分割多重アクセス（Ｗ−ＣＤＭＡ：Ｗｉｄｅｂａｎｄ−ＣＤＭＡ）方式が採用されている。また、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）と呼ばれる方式も採用されている。ＨＳＤＰＡは、適応変復調及び符号化（ＡＭＣ：Ａｄａｐｔｉｖｅ  Ｍｏｄｕｌａｔｉｏｎ  ａｎｄ  ｃｈａｎｎｅｌ  Ｃｏｄｉｎｇ）方式や、ＭＡＣレイヤでのパケットの自動再送（ＡＲＱ：Ａｕｔｏｍａｔｉｃ  Ｒｅｐｅａｔ  Ｒｅｑｕｅｓｔ）方式等を採用することで、伝送レートの高速化や高品質化を図っている。
【０００３】
一方、複数のサブキャリアを使用するマルチキャリア方式のシステムに関する研究も現在行われている。特に、直交周波数符号分割多重化（ＯＦＣＤＭ：Ｏｒｔｈｏｇｏｎａｌ  Ｆｒｅｑｕｅｎｃｙ  ａｎｄ Ｃｏｄｅ  Ｄｉｖｉｓｉｏｎ  Ｍｕｌｔｉｐｌｅｘｉｎｇ）方式は将来の通信システムに有望視されている。ＯＦＣＤＭ方式は、多数の低速のサブキャリアでデータを並列的に伝送し、周波数及び時間領域の２次元拡散を行うことで、更なる高速化及び高品質化を図る。
【０００４】
シングルキャリア端末とマルチキャリア端末が混在可能な通信システムに関する公知例については、例えば、特許文献１に記載されている。
【特許文献１】２００４−７２４５５号公報
【発明の開示】
【発明が解決しようとする課題】
【０００５】
従って、Ｗ−ＣＤＭＡ方式のシステム（便宜上、旧システムと呼ぶ）に代えて又はそれに加えてＯＦＣＤＭ方式のシステム（便宜上、新システムと呼ぶ）のサービスを提供することが考えられる。この場合において、新旧複数のシステムの併存する地域が出現することが予想される。新システムが旧システムに変更されるとしても、少なくとも過渡期には両システムの併存する期間が生じるであろう。新旧２つのシステムを併存させる１つの手法は、図１（Ａ）に示されるように、旧システム及び新システムにそれぞれ別々の周波数帯域を割り当てることである。図１（Ａ）では、５ＭＨｚの帯域が４つ用意され、２つが旧システムの事業者（キャリア）に、他の２つが新システムの事業者に割り当てられる様子が示されている。周波数帯域に新たに割当可能な帯域が残っていれば、このような手法が好都合である。上記特許文献でもそのような好都合な帯域の存在が前提とされている。
【０００６】
しかしながら、地域、時期又は国によっては、そのような周波数帯域を別途割り当てることができないかもしれない。例えば、図１（Ｂ）に示されるように、周波数帯域が旧システムに総て使用されている場合である。図１（Ｂ）では、５ＭＨｚの帯域が２つ用意され、２つとも旧システムの事業者に割当済みである様子が示されている。図１（Ｂ）のような状況では、２つの帯域のうち一方を開放し、新システムの事業者に割り当てることも技術的には考えられる。しかしながら、それも常に可能であるとは言えず、例えば５ＭＨｚの帯域しかないリソースが１事業者によって既に使用されている場合には、そのような周波数帯域の割り振りは困難である。
【０００７】
本発明は、上記の問題点に鑑みてなされたものであり、その課題は、シングルキャリア方式の第１の通信システム及びマルチキャリア方式の第２の通信システムが少なくとも一部の周波数帯域を共用しながら併存することを可能にする送信装置及び受信装置を提供することである。
【課題を解決するための手段】
【０００８】
本発明では、シングルキャリア方式の第１の通信システム及びマルチキャリア方式の第２の通信システムで使用可能な送信装置が使用される。本装置は、シングルキャリアのパケットを下りチャネルで送信し、第１の再送待機期間経過後に、要求に応じてシングルキャリアのパケットを再送する第１再送手段と、マルチキャリアのパケットを下りチャネルで送信し、第２の再送待機期間経過後に、要求に応じてマルチキャリアのパケットを再送する第２再送手段とを備える。前記第２再送手段は、前記第１の再送待機期間の間に、マルチキャリアのパケットを１つ以上送信する。
【発明の効果】
【０００９】
本発明によれば、シングルキャリア方式の第１の通信システム及びマルチキャリア方式の第２の通信システムが、同一地域で少なくとも一部の周波数帯域を共用できる。
【発明を実施するための最良の形態】
【００１０】
本発明の一態様によれば、シングルキャリアのパケットは、第１の再送待機期間経過後に、要求に応じて再送される。マルチキャリアのパケットも、第２の再送待機期間経過後に、要求に応じて再送される。第１の再送待機期間の間に、マルチキャリアのパケットが１つ以上送信される。シングルキャリアのパケットとマルチキャリアのパケットは、時間的に異なるタイムスロットで送信されるので、両者の信号は互いに干渉せずに送信される。第１の再送待機期間内に、同一システムのパケットだけでなく、他システムのパケットをも送信することで、両システムの併存を実現することができる。従って、例えば、図１（Ｂ）にしめされるように未割当の帯域が無くても、既存のＷ−ＣＤＭＡ方式の帯域を利用して、同一地域にＯＦＣＤＭ方式のシステムを併存させることができる。また、第１の通信システムに関し、第１の再送待機期間より遅れてパケットが再送されることはないので、新式の第２の通信システムが併存していたとしても、旧式の第１の通信システムは従来と同様に運用できる。
【００１１】
本発明の一態様によれば、シングルキャリアのパケット１つの送信時間間隔が、マルチキャリアのパケット複数個の送信時間間隔に等しい。また、シングルキャリアのパケット１つとマルチキャリアのパケット複数個が交互に送信される。
【００１２】
本発明の一態様によれば、第１の通信システムの制御チャネルが、第１及び第２の通信システムで共用される。また、前記制御チャネルが、時間的に連続的に送信される。これにより、リソースを節約することができる。
【００１３】
本発明の一態様によれば、第１の通信システム用の第１の制御チャネルと、第２の通信システム用の第２の制御チャネルとが別個に送信される。また、シングルキャリアのパケットと共に第１の制御チャネルが送信され、マルチキャリアのパケットと共に第２の制御チャネルが送信される。これにより、システム間干渉を非常に低減することができる。
【００１４】
本発明の一態様によれば、シングルキャリアのパケットを表す信号をフーリエ変換する手段と、フーリエ変換後の信号を帯域制限するフィルタ手段と、帯域制限後の信号と、マルチキャリアのパケットを表す信号とを時間多重する手段と、時間多重された信号を逆フーリエ変換する手段とが、送信装置に更に備えられる。これにより、第１及び第２の通信システムの送信に関連する要素を共用化することができる。また、シングルキャリアパケットに関する帯域制限を、周波数領域で行うことで、帯域制限処理に要する演算負担を軽減できる。
【００１５】
本発明の一態様によれば、シングルキャリア又はマルチキャリアのパケットを表す信号の一方を選択し、符号化するエンコード手段が、送信装置に更に備えられる。これにより、エンコード手段を双方のシステムで共用することができる。
【００１６】
本発明の一態様によれば、シングルキャリア方式の第１の通信システム及びマルチキャリア方式の第２の通信システムで使用可能な送信装置が、シングルキャリアのパケットを表す信号をフーリエ変換し、帯域制限し、マルチキャリアのパケットを表す信号と時間多重し、多重化された信号を逆フーリエ変換した後に送信する場合に、該送信された信号を受信する受信装置は、受信した信号をフーリエ変換し、シングルキャリアのパケットを表す信号とマルチキャリアのパケットを表す信号とに時間的に分離し、シングルキャリアのパケットを表す信号を逆フーリエ変換する。
【実施例１】
【００１７】
図２は、本発明の一実施例による送信機の全体図を示す。送信機は、典型的には基地局に設けられ、下りチャネルを送信するが、移動局に設けられてもよい。本実施例では、送信機は、Ｗ−ＣＤＭＡ方式のパケットと、ＯＦＣＤＭ方式のパケットとを送信するが、より一般的には、シングルキャリアのパケットと、マルチキャリアのパケットとを送信する送信機として拡張可能である。
【００１８】
送信機は、第１のベースバンド処理部２０１と、第２のベースバンド処理部２０２と、多重部２０４と、ＲＦ送信部２０６とを有する。ＲＦ送信部２０６は、ディジタルアナログ変換部２１０と、直交変調器２１２と、局部発振器２１４と、バンドパスフィルタ２１６と、ミキサ２１８と、局部発振器２２０と、バンドパスフィルタ２２２と、電力増幅器２２４とを有する。
【００１９】
第１のベースバンド処理部２０１は、後述されるように、Ｗ−ＣＤＭＡ方式に関するベースバンドの信号処理部であり、ＨＳＤＰＡ方式に関する信号処理を行う。例えば、ＡＭＣやＡＲＱで必要なパラメータが決定される。また、インターネットプロトコル（ＩＰ）におけるマッピングや、ＭＡＣレイヤ及び物理レイヤに関する信号処理も行われる。
【００２０】
第２のベースバンド処理部２０２は、後述されるように、ＯＦＣＤＭ方式に関するベースバンドの信号処理部である。この信号処理部でも、例えば、ＡＭＣやＡＲＱで必要なパラメータの決定、インターネットプロトコルにおけるマッピング、ＭＡＣレイヤ及び物理レイヤに関する信号処理等が行われる。
【００２１】
多重部２０４は、第１及び第２のベースバンド処理部２０１，２０２から出力される信号の一方を選択し、出力することで、それらの信号を時間多重する。
【００２２】
ＲＦ送信部２０６は、送信対象のベースバンドの信号を無線信号として送信するための処理を行う。ディジタルアナログ変換部（Ｄ／Ａ）は、ディジタル信号をアナログ信号に変換する。直交変調器２１０は、そこに入力された信号から、中間周波数の同相成分（Ｉ）及び直交成分（Ｑ）を生成する。バンドパスフィルタ２１２は、中間周波数帯域に対する余分な周波数成分を除去する。ミキサ２１８は、局部発振器２２０を用いて、中間波数の信号を高周波数の信号に変換（アップコンバート）する。バンドパスフィルタ２２２は余分な周波数成分を除去する。電力増幅器２２４は、アンテナ２２６から無線送信を行うために、信号の電力を増幅する。
【００２３】
図３は、本発明の一実施例による第１及び第２のベースバンド処理部２０１，２０２の詳細を示す。この例では、Ｗ−ＣＤＭＡ方式のシステム（第１の通信システムとする）用の制御チャネルが、ＯＦＣＤＭ方式のシステムにも共用される。第１のベースバンド処理部２０１は、畳込み符号器３０２と、データ変調部３０４と、拡散部３０６，３０８と、多重部３１０と、帯域制限フィルタ３１２とを有する。また、第１のベースバンド処理部２０１は、ターボ符号器３２２と、データ変調器３２４と、拡散部３２６と、多重部３３０と、帯域制限フィルタ３３２と、送信ＴＴＩ制御部３３４とを有する。第２のベースバンド処理部２０２は、ターボ符号器３４２と、データ変調器３４４と、インターリーバ３４５と、直並列変換部３４７と、拡散部３４９と、高速逆フーリエ変換部３５０と、ガードインターバル挿入部３５２と、送信ＴＴＩ制御部３５４とを有する。
【００２４】
畳込み符号器３０２は、制御チャネルで伝送されるデータの誤り耐性を高めるための符号化を行う。データ変調器３０４は、制御チャネルを例えばＱＰＳＫ変調方式で変調する。適切ないかなる変調方式が採用されてもよいが、制御チャネルの情報量は比較的少ないので、本実施例では、変調多値数の少ないＱＰＳＫ変調方式が採用されている。拡散部３０６は、制御チャネルに所定の拡散符号を乗算することで、符号拡散を行う。同様に、拡散部３０８は、パイロットチャネルに所定の拡散符号を乗算することで、符号拡散を行う。多重部３１０は、拡散済みの制御チャネル及び拡散済みのパイロットチャネルを多重化する。多重化は、時間多重、周波数多重及び符号多重の１以上を用いて行われてもよい。帯域制限フィルタ３１２は、例えばルートナイキストフィルタ（Ｒｏｏｔ  Ｎｙｑｕｉｓｔ  Ｆｉｌｔｅｒ）から構成され、帯域制限を行う。
【００２５】
第１のベースバンド処理部２０１のターボ符号器３２２は、データチャネルで伝送されるデータの誤り耐性等を向上させるための符号化を行う。データ変調器３２４は、送信データを適切な変調方式で変調する。変調方式は、例えば、ＱＰＳＫ、１６ＱＡＭ、６４ＱＡＭその他の適切ないかなる変調方式でもよい。拡散部３２６は、データチャネルを符号拡散する。多重部３３０は、必要に応じて、符号拡散されたパイロットチャネル及びデータチャネルを多重化する。例えば、制御チャネルとデータチャネルの送信ビームが異なり、両者の伝搬経路が著しく異なる場合には、制御チャネル用のパイロットチャネルに加えて、データチャネル用のパイロットチャネルが送信されてもよい。帯域制限フィルタ３３２は、例えばルートナイキストフィルタから構成され、帯域制限を行う。送信ＴＴＩ制御部３３４は、Ｗ−ＣＤＭＡ方式の第１のシステムでの送信時間間隔（ＴＴＩ：Ｔｒａｎｓｍｉｓｓｉｏｎ  Ｔｉｍｅ  Ｉｎｔｅｒｖａｌ）を基準に、データチャネルを多重部２０４に与える。ＴＴＩは、パケット１つの持続時間を定める（典型的には、１つのＴＴＩ＝１つのパケットの持続時間  である。）。第１の通信システムのＴＴＩは、例えば２ｍｓとしてもよい。送信ＴＴＩ制御部の動作の詳細については、後述される。
【００２６】
同様に、第２のベースバンド処理部のターボ符号器３４２は、ＯＦＣＤＭ方式のシステム（第２の通信システムとする。）のデータチャネルで伝送されるデータの誤り耐性等を向上させるための符号化を行う。データ変調器３４４は、送信データを適切な変調方式で変調する。変調方式は、例えば、ＱＰＳＫ、１６ＱＡＭ、６４ＱＡＭその他の適切ないかなる変調方式でもよい。インターリーバ３４５は、送信するデータチャネルを表す信号の並ぶ順序を変更する。直並列変換部（Ｓ／Ｐ）３４７は、直列的な信号系列（ストリーム）を並列的な複数の信号系列に変換する。拡散部３４９は、データチャネルを符号拡散する。高速逆フーリエ変換部３５０は、入力された信号を高速逆フーリエ変換し、ＯＦＤＭ方式の変調を行う。ガードインターバル挿入部３５２は、送信する信号にガードインターバルを付加することで、ＯＦＤＭ方式におけるシンボルを作成する。周知のように、ガードインターバルは、伝送するシンボルの先頭又は末尾の一部を複製することによって得られる。送信ＴＴＩ制御部３５４は、第２の通信システムでの送信時間間隔（ＴＴＩ）を基準に、データチャネルを多重部２０４に与える。第１の通信システムの場合と同様に、ＴＴＩは、パケット１つの持続時間を定める（典型的には、１つのＴＴＩ＝１つのパケットの持続時間  である。）。第２の通信システムのＴＴＩは、例えば０．２５ｍｓとしてもよい。送信ＴＴＩ制御部の動作の詳細についても、後述される。
【００２７】
第１のベースバンド処理部２０１に入力された制御チャネルは、畳込み符号化され、ＱＰＳＫ変調され、符号拡散され、拡散済みのパイロットチャネルと共に多重部３１０で多重化される。多重化された信号は帯域制限され、多重部２０４に与えられる。
【００２８】
第１のベースバンド処理部２０１に入力されたデータチャネルは、ターボ符号器３２２で符号化され、変調され、拡散され、帯域制限され、送信ＴＴＩ制御部３３４に入力される。送信ＴＴＩ制御部３３４は、様々なユーザからのデータチャネルをパケット毎に多重部２０４に与える、或いは送信済みのパケットを要求に応じて再送するために再送対象のパケットを多重部２０４に与える。
【００２９】
第２のベースバンド処理部２０２に入力されたデータチャネルは、ターボ符号器３４２で符号化され、変調され、インターリーバ３４５で並べ換えられ、直並列変換部３４７で並列化され、サブキャリア成分毎に拡散される。拡散後のデータチャネルは、高速逆フーリエ変換部３５０によりＯＦＤＭ方式で変調され、変調後の信号にガードインターバルが付加され、送信ＴＴＩ制御部３５４に入力される。送信ＴＴＩ制御部３５４は、様々なユーザからのデータチャネルをパケット毎に多重部２０４に与える、或いは送信済みのパケットを要求に応じて再送するために再送対象のパケットを多重部２０４に与える。
【００３０】
このようにしてベースバンドの処理がそれぞれなされ、多重部２０４で多重化され、図２のＲＦ送信部２０６を経てアンテナ２２６から無線送信される。
【００３１】
第１の通信システムから送信されるデータチャネルは、シングルキャリアのパケットである。第２の通信システムから送信されるデータチャネルは、マルチキャリアのパケットである。従って、送信ＴＴＩ制御部３３４の入力信号と、送信ＴＴＩ制御部３５４の入力信号の周波数スペクトル波形は著しく相違する（図４）。従って、これらの信号が、仮に同時に同一周波数帯域で送信されたならば、システム間の干渉は非常に大きくなってしまうことが予想される。
【００３２】
ところで、ＩＭＴ２０００のようなＷ−ＣＤＭＡ方式の３Ｇ通信システム（第１の通信システム）では、自動再送要求（ＡＲＱ：Ａｕｔｏｍａｔｉｃ  Ｒｅｐｅａｔ  Ｒｅｑｕｅｓｔ）制御方式が採用され、あるパケットを送信した後に、必要に応じて、所定期間経過後に同一パケットが再送される。この所定期間又は再送を待機している時間（再送待機期間）は、５ＴＴＩ（５パケット分）の期間になるよう規格で定められている（言い換えれば、ＤＳＣＨのラウンドトリップ時間（ＲＴＴ）が６ＴＴＩであることを要する。）。この再送待機期間内では、同一又は異なるユーザに関する別のパケットが送信される。本発明の発明者等は、この点に着目し、再送待機期間内に、同一システムのパケットだけでなく、他システムのパケットをも送信することで、両システムの併存を実現できることを見出した。
【００３３】
図５は、図２，３の送信機によって送信されるパケットの概念図を示す。図５には、制御チャネルに関するパケットと、第１及び第２の通信システムに使用されるデータチャネル用のパケットとが描かれている。図中、水平方向（左右方向）は時間方向を表す。上述したように、制御チャネルは、第１及び第２の通信システムの双方に共用され、時間的に連続的に送信される。データチャネルに関するパケットは、第１及び第２の通信システムの間で時間多重されて送信される。図示の例では、第１の通信システムのパケット（シングルキャリアパケット）と、第２の通信システムのパケット（マルチキャリアパケット）とが交互に送信される様子が示されている。図中Ａ１，Ａ２，．．．で示されるタイムスロットではシングルキャリアパケットが送信され、Ｂ１，Ｂ２，．．．で示されるタイムスロットではマルチキャリアパケットが送信される。本実施例では、シングルキャリアパケットのＴＴＩは２ｍｓであり、マルチキャリアパケットのＴＴＩは０．２５ｍｓである。拡大図に示されるように、マルチキャリアパケット用のタイムスロットＢｉ（ｉ＝１，２，．．．）の各々には、８つのタイムスロットＢｉ１，Ｂｉ２，．．．，Ｂｉ８が含まれている。従って、シングルキャリアパケットを１つ送信した後に、８つのマルチキャリアパケットが送信され、その後にシングルキャリアパケットが再び送信され、以後同様にパケットが送信されるように、送信ＴＴＩ制御部３３４，３３６及び多重部２０４が動作する。なお、各通信システムに関する送信時間間隔ＴＴＩの具体的な数値は、単なる一例に過ぎず、他の様々な値が採用されてもよい。
【００３４】
このような信号伝送が行われる場合に、第１の通信システムでは制御チャネル及びデータチャネルを良好に受信できる。しかし、この制御チャネルに起因して、第２の通信システムのデータチャネルは、ある程度のシステム間干渉を受ける。しかし、制御チャネルの情報量は少ないので、そのような干渉は、多くの場合に無視できる程度であろう。
【００３５】
パケットの再送については、図示されているように、シングルキャリアパケットは、その送信後５ＴＴＩ経過後に同一のシングルキャリアパケットが再送される。例えば、タイムスロットＡ１で送信されたシングルキャリアパケットは、タイムスロットＡ４で再送される。従って、第１の通信システムに関する既存の仕様は変更しなくてもよい。マルチキャリアパケットも５ＴＴＩ後に（第２の通信システムでのＴＴＩ後に）再送されるものとする。この場合に、図５の拡大図に示されているように、タイムスロットＡ２直後のタイムスロットＢ２内のＢ２１で送信されたパケットは、タイムスロットＢ２７で再送される。同様に、タイムスロットＢ２２で送信されたパケットは、タイムスロットＢ２８で再送される。しかしながら、タイムスロットＢ２３で送信されたパケットは、タイムスロットＡ３直後のタイムスロットＢ３内のＢ３１で再送される。同様に、タイムスロットＢ２４，Ｂ２５，Ｂ２６，Ｂ２７，Ｂ２８で送信されたパケットも、タイムスロットＡ３の後のタイムスロットＢ３２，Ｂ３３，Ｂ３４，Ｂ３５，Ｂ３６で再送される。従って、タイムスロットＢ２１，Ｂ２２で送信されたパケットは、遅滞なく再送されるが、タイムスロットＢ２３〜Ｂ２８で送信されたパケットの再送は、２ｍｓ（８パケット分）程度遅延してしまう。しかしながら、この遅延は、第１の通信システムの再送帯域期間（５ＴＴＩ＝１０ｍｓ）よりはるかに短く、この程度の遅延を許容することで、システムオーバーレイ（ｏｖｅｒｌａｙ）を実現することができる点に留意を要する。
【００３６】
図５では、第１及び第２の通信システムのパケットが、２ｍｓ毎に交互に送信されていたが、本発明はそのような態様に限定されない。図６は、別の送信方法の態様を示す図である。図６では、第１及び第２の通信システムのパケットが、６ｍｓ毎に交互に送信されている。即ち、シングルキャリアパケットがタイムスロットＡ１，Ａ２，Ａ３にわたって３個送信された後に、マルチキャリアパケットがタイムスロットＢ１，Ｂ２，Ｂ３にわたって８×３＝２４個送信され、以下同様に送信される。図示の他にも、適切ないかなる送信方法が使用されてもよい。より一般的には、シングルキャリアパケットに関する再送待機期間の間に、１以上のシングルキャリアパケット及び１以上のマルチキャリアパケットが送信されてもよい。
【実施例２】
【００３７】
図７は、本発明の一実施例による第１及び第２のベースバンド処理部２０１，２０２を示す。図３に関して説明済みの要素については、同様の参照番号が付され、重複的な説明は省略される。本実施例では、第１及び第２の通信システムの各々に制御チャネルが別々に用意され、それらは、データチャネルと共に時間多重されながら送信される。尚、図３の多重部３１０，３３０は、図７では多重部３１０として一体的に描かれている。このため、図７には、第２の制御チャネルに関し、畳込み符号器３６２と、データ変調器３６４と、インターリーバ３６５と、直並列変換部３６７と、拡散部３６９と、多重部３４８とが描かれている。これらの要素についても、説明済みの要素と同様であるため、重複的な説明は省略される。
【００３８】
図８は、本実施例による送信機から送信されるパケットの概念図を示す。図示されるように、データチャネルは図５と同様に、第１及び第２の通信システムの間で交互に切り換えて送信されている。本実施例では、制御チャネルもその切換に合わせて交互に送信される。即ち、シングルキャリアパケットと制御チャネルが多重部３１０で多重化され、同時に送信開始され、同時に送信停止される。同様に、マルチキャリアパケットと制御チャネルが多重部３４８で多重化され、同時に送信開始され、同時に送信停止される。このような送信方法を採用することで、制御チャネルに起因するシステム間干渉を抑制することができる。
【実施例３】
【００３９】
図９は、本発明の一実施例によるベースバンド処理部の詳細を示す。図３に関して説明済みの要素については、同様の参照番号が付され、重複的な説明は省略される。図９では、簡単のため、制御チャネルに関する要素は描かれていない点に留意を要する。図９には、第１のベースバンド処理部２０１側に、インターリーバ９０２と、高速フーリエ変換部９０４と、帯域制限フィルタ９０６とが描かれている。
【００４０】
インターリーバ９０２は、データチャネルの信号の並び方を所定のパターンに従って変更する。
【００４１】
高速フーリエ変換部９０４は、拡散後のデータチャネルを、高速フーリエ変換ずる。これにより、時間領域の入力信号が、周波数領域の信号に変換され、出力される。
【００４２】
帯域制限フィルタ９０６は、図３，７の帯域制限フィルタ３１２，３３２と同様に帯域制限を行うが、帯域制限フィルタ９０６は、周波数領域で帯域制限を行う点で、それを時間領域で行う図３の帯域制限フィルタ３１２等と相違する。
【００４３】
本実施例では、多重部２０４、高速逆フーリエ変換部３５０及びガードインターバル挿入部３５２に関する処理が、第１及び第２のベースバンド処理部２０１，２０２に共通に行われている。このため、送信ＴＴＩ制御部３３４，３５４が入力側に描かれている点に留意を要する。本実施例では、多重部２０４以降の処理が、第１及び第２のベースバンド処理部２０１，２０２に共通に行われ、拡散部３２６と帯域制限フィルタ９０６の間に高速フーリエ変換部９０４が設けられている。本実施例では、マルチキャリアパケットについては説明済みのものと同様であるため、重複的な説明は省略される。シングルキャリアのパケットに関しては、高速フーリエ変換部９０４と高速逆フーリエ変換部３５０による処理が行われるので、ＯＦＤＭ方式による変調はなされないことになる。このようにすることで、一部の信号処理が共通化され、シングルキャリアパケットの帯域制限処理は、帯域制限フィルタ９０６により、周波数領域で行われる。帯域制限フィルタ９０６の演算負担は、図３の帯域制限フィルタ３１２等の演算負担よりも非常に軽くなることに特に留意を要する。時間領域での帯域制限処理では、各時点での帯域制限後の値を求めるために、その時点前後の複数のサンプルを重み付け加算する必要がある。これに対して、周波数領域での帯域制限処理では、各周波数での帯域制限後の値は、処理対象の１つの周波数のサンプルに１つの重み係数を乗算することで直ちに求めることができる。
【００４４】
図１０は、図９に示されるベースバンド処理部よりも更に、要素の共通化を図った送信機を示す。説明済みの要素に関する重複的な説明は省略される。図１０では、バッファ１００２と、分離部１００４とが新たに描かれている。
【００４５】
バッファ１００２は、シングルキャリアパケット及びマルチキャリアパケットに関するデータチャネルを受信し、一時的に格納する。これらは、それぞれの送信時間間隔ＴＴＩに合わせてターボ符号器に選択的に入力される。
【００４６】
分離部１００４は、シングルキャリアパケットに関するデータチャネルと、マルチキャリアパケットに関するデータチャネルとをそれぞれの時間に合わせて時分割する。
【００４７】
図示されるような処理要素の大幅な共通化が実現できるのは、主に、第１及び第２のベースバンド処理部２０１，２０２からの出力信号が、時間多重されることに基づいている。即ち、同時に処理することを要しない処理要素が多いことに起因する。
【実施例４】
【００４８】
図１１は、本発明の一実施例による受信機の全体図を示す。このような受信機は、典型的には移動局に設けられるが、基地局に備えられてもよい。本実施例による受信機は、図２，３，７の送信機から送信された信号を受信する。本実施例では、この受信機は移動局に設けられ、信号品質を向上させるために、２つのアンテナを用いたアンテナダイバーシチが行われる。アンテナ毎に受信された信号は、同様な処理要素で同様に処理されるので、１つのアンテナに関する信号処理の要素及び機能がそれらを代表して説明される。移動局は、アンテナの１つに接続されたＲＦ受信部１１０２と、第１のベースバンド処理部１１１１と、第２のベースバンド処理部１１１２とを有する。ＲＦ受信部１１０２は、低雑音増幅器（ＬＮＡ）１１０３と、ミキサ１１０４と、局部発振器１１０５と、帯域通過フィルタ１１０６と、自動利得制御部１１０７と、直交検波器１１０８と、局部発振器１１０９と、アナログディジタル変換部１１１０とを有する。
【００４９】
ＲＦ受信部１００２は、アンテナで受信した高周波信号に対して、電力増幅、周波数変換及び帯域制限等の処理を行う。低雑音増幅器１１０３は、アンテナで受信した信号を適切に増幅する。増幅後の信号は、ミキサ１１０４及び局部発振器１１０５により中間周波数に変換される（ダウンコンバート）。帯域通過フィルタ１１０６は、不要な周波数成分を除去する。自動利得制御部（ＡＧＣ）１１０７は、信号レベルが適切に維持されるように、増幅器の利得が制御される。直交検波器１１０８は、局部発振器１１０９を用いて、受信した信号の同相成分（Ｉ）及び直交成分（Ｑ）に基づいて、直交復調する。アナログディジタル変換部（Ａ／Ｄ）１１１０は、アナログ信号をディジタル信号に変換する。
【００５０】
第１のベースバンド処理部１１１１は、第１の通信システムであるシングルキャリア方式の通信システム（例えば、Ｗ−ＣＤＭＡ方式のシステム）に関する信号のベースバンドの処理を行う。また、ＩＰ接続や、ＭＡＣレイヤ及び物理レイヤに関するプロトコル処理も行われる。ベースバンドの処理には、例えば、ＡＭＣやＡＲＱで必要なパラメータを判別することも含まれる。
【００５１】
第２のベースバンド処理部１１１２は、第２の通信システムであるマルチキャリア方式の通信システム（例えば、ＯＦＣＤＭ方式のシステム）に関する信号のベースバンドの処理を行う。また、ＩＰ接続や、ＭＡＣレイヤ及び物理レイヤに関するプロトコル処理も行われる。ベースバンドの処理には、例えば、ＡＭＣやＡＲＱで必要なパラメータを判別することも含まれる。
【００５２】
移動局は、第１又は第２の通信システムに専用の端末であってもよいし、双方のシステムに共用可能な端末でもよい。専用の端末は、第１及び第２のベースバンド処理部の何れか一方のみを備える。共用可能な端末は、第１及び第２のベースバンド処理部の双方を備える。
【００５３】
図１２は、図１１に示される第１のベースバンド処理部１１１１の詳細を示す。図１２には、帯域制限フィルタ１２０２と、パスサーチャ１２０４と、逆拡散部１２０６と、チャネル推定部１２０８と、レーク合成部１２１０と、合成部１２１２と、ターボデコーダ１２１４とが描かれている。
【００５４】
帯域制限フィルタ１２０２は、例えばルートナイキストフィルタから構成され、帯域制限を行う。パスサーチャ１２０４は、マルチパス伝搬路におけるパスを探索する。パスの探索は、例えば遅延プロファイルを調べることによって行われる。逆拡散部１２０６は、パスのタイミングに合わせて信号を逆拡散する。チャネル推定部１２０８は、パスのタイミングを利用して、チャネル推定を行う。チャネル推定部１２０８は、推定結果に応じて、伝搬路で生じたフェージングが補償されるように、振幅及び位相を調整するための制御信号を出力する。レーク合成部１２１０は、逆拡散後の信号をパス毎に補償しながら合成し、出力する。
【００５５】
合成部１２１２は、アンテナ毎に得られる受信信号を合成する。適切ないかなる合成法が採用されてもよい。合成法には、例えば選択法、等利得合成法及び最大比合成法等が含まれてもよい。
【００５６】
ターボデコーダ１２１４は、受信信号を復号化し、データを復調する。
【００５７】
各アンテナで受信された信号は、上述したようにアンテナ毎に処理される。受信された信号は、ＲＦ受信部で増幅、周波数変換及び帯域制限等の処理を経てディジタル信号に変換される。ディジタル信号は、サブキャリア毎に、帯域制限され、逆拡散され、パス毎にレーク合成される。レーク合成後のサブキャリア毎の信号は、各アンテナに関して得られ、それらは合成部１２１２で合成され、復号され、そして、送信された信号が復元される。
【００５８】
図１３は、図１１の第２のベースバンド処理部１１１２の詳細を示す。図１３には、シンボルタイミング検出部１３０２と、ガードインターバル除去部１３０４と、高速フーリエ変換部１３０６と、デマルチプレクサ又は分離部１３０８と、チャネル推定部１３１０と、逆拡散部１３１２と、並直列変換部（Ｐ／Ｓ）１３１４と、逆拡散部１３１６と、合成部１３１８，１３１９と、デインタリーバ１３２０と、ターボ符号器１３２２と、ビタビデコーダ１３２４とが描かれている。
【００５９】
シンボルタイミング検出部１３０２は、ディジタル信号に基づいて、シンボル（シンボル境界）のタイミングを検出する。
【００６０】
ガードインターバル除去部１３０４は、受信した信号からガードインターバルに相当する部分を除去する。
【００６１】
高速フーリエ変換部１３０６は、入力された信号を高速フーリエ変換し、ＯＦＤＭ方式の復調を行う。これにより、受信信号は、周波数領域の信号に変換される。
【００６２】
デマルチプレクサ１３０８は、受信した信号に多重化されているパイロットチャネル、制御チャネル及びデータチャネルを分離する。この分離方法は、送信側の多重化（図３の多重部３１０等での処理内容）に対応して行われる。
【００６３】
チャネル推定部１３１０は、パイロットチャネルを用いて伝搬路の状況を推定し、チャネル変動を補償するように、振幅及び位相を調整するための制御信号を出力する。この制御信号は、サブキャリア毎に出力される。
【００６４】
逆拡散部１３１２は、チャネル補償済みのデータチャネルをサブキャリア毎に逆拡散する。コード多重数はＣｍｕｘであるとする。
【００６５】
並直列変換部（Ｐ／Ｓ）１３１４は、並列的な信号系列を直列の信号系列に変換する。
【００６６】
逆拡散部１３１６は、チャネル補償済みの制御チャネルをサブキャリア毎に逆拡散する。
【００６７】
合成部１３１８，１３１９は、アンテナ毎に処理された信号を、選択法、等利得合成法又は最大比合成法等のような適切な合成法で合成する。
【００６８】
デインタリーバ１３２０は、信号の並ぶ順序を所定のパターンに従って変更する。所定のパターンは、送信側のインターリーバ（図３の３４５等）で行われる並べ換えの逆パターンに相当する。
【００６９】
ターボ符号器１３２２及びビタビデコーダ１３２４は、トラフィック情報データ及び制御情報データをそれぞれ復号する。
【００７０】
アンテナで受信された信号は、ＲＦ受信部内で増幅、周波数変換、帯域制限、直交復調等の処理を経てディジタル信号に変換される。ガードインターバルの除去された信号に対して、高速フーリエ変換部１３０６によってＯＦＤＭ方式の復調が行われる。復調後の信号は、分離部１３０８でパイロットチャネル、制御チャネル及びデータチャネルにそれぞれ分離される。パイロットチャネルは、チャネル推定部に入力され、伝搬路の変動を補償する制御信号がそこからサブキャリア毎に出力される。データチャネルは制御信号を用いて補償され、サブキャリア毎に逆拡散され、直列的な信号に変換される。変換後の信号は、デインタリーバ１３２０で、インターリーバで施された並べ換えと逆パターンで並べ換えられ、ターボ復号器１３２２で復号される。制御チャネルも同様に、制御信号によりチャネル変動が補償され、逆拡散され、ビタビデコーダ１３２４で復号される。以後、復元されたデータ及び制御チャネルを利用する信号処理が行われる。
【実施例５】
【００７１】
図１４は、本発明の一実施例による受信機のベースバンド処理部を示す。図１２，１３で説明済み要素には同様な参照番後が付され、それらに関する重複的な説明は省略される。本実施例による受信機は、図９，１０に示される送信機からの信号を受信する。従って、送信機から送信され、受信機で受信される信号は、シングルキャリアパケットとマルチキャリアパケットが時間多重され、その後にフーリエ逆変換された信号である。図１４には、デマルチプレクサ１４０２と、帯域制限フィルタ１４０３と、高速逆フーリエ変換部１４０４と、デインタリーバ１４０６とが新たに描かれている。制御チャネルに関する要素は、図示の簡明化のため描かれていない。
【００７２】
デマルチプレクサ１４０２は、図１３で説明済みのデマルチプレクサ１３０８と同様に、受信した信号に多重化されているパイロットチャネル、制御チャネル及びデータチャネルを分離する。更に、デマルチプレクサ１４０２は、時間多重されているシングルキャリアパケットをも時間的に分離し、出力する。
【００７３】
帯域制限フィルタ１４０３は、そこに入力された信号（時間分離された信号）を周波数領域で帯域制限の処理を行う。図９の帯域制限フィルタ９０６と同様に、ここで行われる帯域制限処理も、非常に簡易に行うことができる。
【００７４】
高速逆フーリエ変換部１４０４は、帯域制限後のシングルキャリアパケットに関する信号を高速フーリエ逆変換する。これにより、シングルキャリアパケットに関する信号は、時間領域の信号に変換される。
【００７５】
デインタリーバ１４０６は、信号の並ぶ順序を所定のパターンに従って変更する。所定のパターンは、送信側のインターリーバ（図９の９０２等）で行われる並べ換えの逆パターンに相当する。
【００７６】
アンテナで受信された信号は、ＲＦ受信部内で増幅、周波数変換、帯域制限、直交復調等の処理を経てディジタル信号に変換される。ガードインターバルの除去された信号に対して、高速フーリエ変換部１３０６によって、信号が周波数領域の信号に変換される。マルチキャリアパケットに関しては、ＯＦＤＭ方式の復調が行われたことになる。周波数領域の信号に変換された信号は、分離部１３０８でマルチキャリアパケット（パイロットチャネル、制御チャネル及びデータチャネルを含む）及びシングルキャリアパケットにそれぞれ時間的に分離される。マルチキャリアパケットは、図１３で説明したものと同じ処理がなされるので、重複的な説明は省力される。
【００７７】
分離されたシングルキャリアパケットは、帯域制限フィルタ１２０２で周波数領域での帯域制限が行われ、その後に逆フーリエ変換される。この変換により、シングルキャリアパケットは、時間領域の信号に変換される。変換後の信号は、逆拡散され、チャネル補償され、デインタリーブされた後にデコードされる。
【実施例６】
【００７８】
上記の実施例１〜５は、典型的には下りリンクでの複数システムの共存を図るものである。以下に説明される実施例６は、典型的には上りリンクでの複数システムの共存を図るのである。上りリンクでは、チャネルの高速高品質化とは別に、移動局の低消費電力化を図る要請も強い。本実施例では、シングルキャリア方式で周波数領域での直交化を実現できる可変拡散率チップ繰り返しファクタＣＤＭＡ（ＶＳＣＲＦ−ＣＤＭＡ：Ｖａｒｉａｂｌｅ  Ｓｐｒｅａｄｉｎｇ  ａｎｄ  Ｃｈｉｐ  Ｒｅｐｅｔｉｔｉｏｎ  Ｆａｃｔｏｒｓ−ＣＤＭＡ）方式が、上りリンクに採用される。この上りリンクに使用される送信機及び受信機の構成及び動作は、直接シーケンスＣＤＭＡ（ＤＳ−ＣＤＭＡ：Ｄｉｒｅｃｔ  Ｓｅｑｕｅｎｃｅ−ＣＤＭＡ）方式の送信機及び受信機と概ね同様であるが、拡散及び逆拡散に関する処理内容は大きく異なる。
【００７９】
図１５は、ＶＳＣＲＦ−ＣＤＭＡ方式の送信機に使用される拡散部のブロック図を示す。従って、以下に説明される拡散部の動作は、典型的には移動局で行われる。拡散部は、符号乗算部１６０２と、繰り返し合成部１６０４と、移相部１６０６とを有する。
【００８０】
符号乗算部１６０２は、送信信号に拡散符号を乗算する。図１５では、乗算器１６１２により、所与の符号拡散率ＳＦの下で定められたチャネリゼーションコードが送信信号に乗算される。更に、乗算器１６１４によりスクランブルコードが送信信号に乗算される。本実施例における符号拡散率ＳＦは、通信環境に応じて適切に設定される。より具体的には、伝搬路状態、セル構成、トラフィック量及び無線パラメータの１以上に基づいて符号拡散率ＳＦが設定されてもよい。符号拡散率ＳＦの設定は、基地局で行ってもよいし、移動局で行ってもよい。但し、トラフィック量のような基地局側で管理する情報を利用する場合には、基地局で符号拡散率を決定した方が好ましい。
【００８１】
繰り返し合成部１６０４は、拡散後の送信信号を、時間的に圧縮し、所定数回（ＣＲＦ回）反復する。繰り返し数ＣＲＦが１に等しい場合の構成及び動作は、通常のＤＳ−ＣＤＭＡ方式の場合に等しくなる（但し、ＣＲＦ＝１の場合は、移相部での位相シフトは不要である。）。
【００８２】
移相部１６０６は、所定の周波数分だけ送信信号の位相をずらす（シフトさせる）。ずらす位相量は、移動局毎に固有に設定される。
【００８３】
図１６は、ＶＳＣＲＣ−ＣＤＭＡ方式の受信機に使用される逆拡散部のブロック図を示す。この逆拡散部は、典型的には基地局で動作する。逆拡散部は、移相部１７０２と、繰り返し合成部１７０４と、符号逆拡散部１７０６とを有する。
【００８４】
移相部１７０２は、移動局毎に設定されている位相量を受信信号に乗算し、受信信号を移動局毎の信号に分離する。
【００８５】
繰り返し合成部１７０４は、繰り返されているデータを時間的に拡張し（非圧縮化し）、圧縮されていないデータを復元する。
【００８６】
符号逆拡散部１７０６は、移動局毎の拡散符号を受信信号に乗算することで、逆拡散を行う。
【００８７】
図１７は、ＶＳＣＲＦ−ＣＤＭＡ方式での主要な動作を説明するための図である。説明の便宜上、符号拡散後の信号系列のある１つのデータ群が、ｄ１，ｄ２，．．．，ｄＱで表現され、個々のデータｄｉ（ｉ＝１，．．．，Ｑ）の期間がＴＳであるものとする。１つのデータｄｉは１つのシンボルに対応させてもよいし、適切な他のいかなる情報単位に対応させてもよい。この一群の信号系列は、全体でＴＳ×Ｑ  に相当する期間を有する。この信号系列１８０２は、繰り返し合成部１６０４への入力信号に対応する。この信号系列は、時間的に１／ＣＲＦに圧縮され、その圧縮後の信号がＴＳ×Ｑ  の期間にわたって繰り返されるように変換される。変換後の信号系列は、図１７で１８０４により表現されている。図１７には、ガードインターバルの期間も図示されている。時間的な圧縮は、例えば、入力信号に使用されているクロック周波数よりもＣＲＦ倍高い周波数を利用して行うことができる。これにより、個々のデータｄｉの期間は、ＴＳ／ＣＲＦに圧縮される（但し、ＣＲＦ回反復される）。圧縮及び繰り返された信号系列１８０４は、繰り返し合成部１６０４から出力され、移相部１６０６に入力され、所定の位相量だけシフトさせられ、出力される。位相量は、移動局毎に設定され、各移動局に関する上り信号が互いに周波数軸上で直交するように設定される。これにより、上りリンク又は基地局の受信信号における周波数スペクトルは、概して図１７の１８０６に示されるような様子になる。図中、拡散帯域幅として示されている帯域は、拡散後の信号系列１８０２がそのまま送信されたならば占めるであろう帯域を示す。時間圧縮及び繰り返しがなされた段階でのスペクトル（繰り返し合成部１６０４の出力信号のスペクトル）は、狭帯域を占めるが、その帯域は総ての移動局に共通する。その狭帯域のスペクトルを移動局に固有の位相量だけシフトさせることで、それらの帯域が互いに重複しないようにすることができる。即ち、時間圧縮、繰り返し及び位相シフトを行うことで、個々の移動局に関する周波数帯域を狭帯域化させ、各移動局に関する周波数スペクトルを櫛歯状に並べることができ、周波数軸上での直交化を実現することができる。
【００８８】
受信側では送信側と逆の動作が行われる。即ち、移動局毎の位相量に合わせて、図１７の移相部１７０２にて受信信号に位相が付与され、繰り返し合成部１７０４に入力される。入力された信号は、時間的に非圧縮化され、拡散されている信号系列に変換され、繰り返し合成部１７０４から出力される。この信号に、逆拡散部１７０６で所定の拡散符号を乗算することで、逆拡散が行われる。以後、説明済みの要素によって更なる処理が行われる。
【００８９】
上りリンクで採用されるＶＳＣＲＦ−ＣＤＭＡ方式で送信される信号の無線周波数の波形及びチップレートは、Ｗ−ＣＤＭＡ方式のものと同様である。ＶＳＣＲＦ−ＣＤＭＡ方式で行われる繰り返しの処理は、データの順序を並べ換えるが、チップレートを変更するものではないからである。従って、上りリンクに関しては、第２の通信システムにＶＳＣＲＦ−ＣＤＭＡ方式を採用することで、第１及び第２の通信システムを簡易に併存させることができる。
【図面の簡単な説明】
【００９０】
【図１】周波数帯域を示す図である。
【図２】本発明の一実施例による送信機の全体図を示す。
【図３】本発明の一実施例による第１及び第２のベースバンド処理部の詳細を示す図である。
【図４】第１，第２の通信システムで使用される信号の周波数スペクトルを示す図である。
【図５】図２，３の送信機によって送信されるパケットの概念図を示す。
【図６】パケットを送信する別の態様を示す図である。
【図７】本発明の一実施例による第１及び第２のベースバンド処理部の詳細を示す図である。
【図８】本実施例による送信機から送信されるパケットの概念図を示す。
【図９】本発明の一実施例によるベースバンド処理部の詳細を示す図である。
【図１０】図９に示されるベースバンド処理部よりも更に処理要素の共通化を図った送信機を示す。
【図１１】本発明の一実施例による受信機の全体図を示す。
【図１２】図１１の第１のベースバンド処理部の詳細を示す。
【図１３】図１１の第２のベースバンド処理部の詳細を示す。
【図１４】本発明の一実施例による受信機のベースバンド処理部を示す。
【図１５】ＶＳＣＲＦ−ＣＤＭＡ方式の送信機に使用される拡散部のブロック図を示す。
【図１６】ＶＳＣＲＣ−ＣＤＭＡ方式の受信機に使用される逆拡散部のブロック図を示す。
【図１７】ＶＳＣＲＦ−ＣＤＭＡ方式での主要な動作に関する説明図である。
【符号の説明】
【００９１】
２０１，２０２  第１，２のベースバンド処理部；  ２０４  多重部；  ２０６  ＲＦ送信部；  ２１０  ディジタルアナログ変換部；  ２１２  直交変調器；  ２１４  局部発振器；  ２１６  バンドパスフィルタ；  ２１８  ミキサ；  ２２０  局部発振器；  ２２２  バンドパスフィルタ；  ２２４  電力増幅器；
３０２  畳込み符号器；  ３０４  データ変調部；  ３０６，３０８  拡散部；  ３１０  多重部；  ３１２  帯域制限フィルタ；  ３２２  ターボ符号器；  ３２４  データ変調器；  ３２６  拡散部；  ３３０  多重部；  ３３２  帯域制限フィルタ３３２；  ３３４  送信ＴＴＩ制御部；  ３４２  ターボ符号器；  ３４４  データ変調器；  ３４５  インターリーバ；  ３４７  直並列変換部；  ３４９  拡散部；  ３５０  高速逆フーリエ変換部；  ３５２  ガードインターバル挿入部；  ３５４  送信ＴＴＩ制御部；
３６２  畳込み符号器  ３６４  データ変調器  ３６５  インターリーバ３６５；  ３６７  直並列変換部；  ３６９  拡散部  多重部３４８；
９０２  インターリーバ；  ９０４  高速フーリエ変換部；  ９０６  帯域制限フィルタ；  
１１０２  ＲＦ受信部；  １１１１，１１１２  第１，第２のベースバンド処理部；  １１０３  低雑音増幅器；  １１０４  ミキサ；  １１０５  局部発振器；  １１０６  帯域通過フィルタ；  １１０７  自動利得制御部；  １１０８  直交検波器；  １１０９  局部発振器；  １１１０  アナログディジタル変換部；
１２０２  帯域制限フィルタ；  １２０４  パスサーチャ；  １２０６  逆拡散部；  １２０８  チャネル推定部；  １２１０  レーク合成部１２１０；  １２１２  合成部；  １２１４  ターボデコーダ；
１３０２  シンボルタイミング検出部；  １３０４  ガードインターバル除去部；  １３０６  高速フーリエ変換部；  １３０８  デマルチプレクサ；  １３１０  チャネル推定部；  １３１２  逆拡散部；  １３１４  並直列変換部；  １３１６  逆拡散部；  １３１８，１３１９  合成部；  １３２０  デインタリーバ；  １３２２  ターボ符号器；  １３２４  ビタビデコーダ；
１４０２  デマルチプレクサ；  １４０３  帯域制限フィルタ；  １４０４  高速逆フーリエ変換部；  １４０６  デインタリーバ；
１６０２  拡散部；  １６１２，１６１４  乗算部；  １６０４  繰り返し合成部；  １６０６  移相部；  
１７０２  移相部；  １７０４  繰り返し合成部；  １７０６  逆拡散部；
１８０２  圧縮前のデータシーケンス；  １８０４  圧縮及び繰り返されたデータシーケンス；  １８０６  全移動局に関する上りリンクの周波数スペクトル
【図１】
2006287759.tif 000003
【図２】
2006287759.tif 000004
【図３】
2006287759.tif 000005
【図４】
2006287759.tif 000006
【図５】
2006287759.tif 000007
【図６】
2006287759.tif 000008
【図７】
2006287759.tif 000009
【図８】
2006287759.tif 000010
【図９】
2006287759.tif 000011
【図１０】
2006287759.tif 000012
【図１１】
2006287759.tif 000013
【図１２】
2006287759.tif 000014
【図１３】
2006287759.tif 000015
【図１４】
2006287759.tif 000016
【図１５】
2006287759.tif 000017
【図１６】
2006287759.tif 000018
【図１７】
2006287759.tif 000019